(57)【要約】【課題】複数のレンズ及び固定具を配する開口を有する反射部材による照明光の輝度むらを抑制することができる光源装置を提供する。【解決手段】複数の発光素子１が実装された回路基板２の一面の側に、各発光素子１に対応してレンズ３が配置され、回路基板２を他面側に位置した支持体に固定する複数の固定具８は回路基板２の一面の側に一部が突出し、各レンズ３及び固定具８が配される開口を有した反射部材４を回路基板２の一面の側に設け、複数のレンズ３は、回路基板２の一面における交差する２方向の夫々に略等間隔で並置され、複数の固定具８は、前記交差する２方向の１つに沿ったレンズ３の複数の列のうちの隣り合う２列の間に、各列のレンズ３に交互に接近するように千鳥状に位置し、反射部材４の開口は、固定具が配される開口部分４３と固定具が接近したレンズ３が配される開口部分４１とが合体した開口である。【選択図】図２
2011028951.tif 000002
【特許請求の範囲】
【請求項１】
一面に複数の発光素子が実装された回路基板と、該回路基板の他面側に位置して該回路基板を支持する支持体と、前記回路基板を前記支持体に固定するために前記回路基板の前記一面の側に一部が突出した複数の固定具と、前記複数の発光素子及び前記複数の固定具が配される開口を有し、前記回路基板の前記一面の側に配置された反射部材とを備えた光源装置において、
前記複数の発光素子は、前記回路基板の前記一面における交差する２方向の夫々に略等間隔で並置され、
前記複数の固定具は、前記交差する２方向の１つに沿った前記発光素子の複数の列のうちの隣り合う２列の間に、各列の発光素子に交互に接近するように千鳥状に位置し、
前記反射部材の開口は、前記固定具が配される開口部分と該固定具が接近した前記発光素子が配される開口部分とが合体した開口であることを特徴とする光源装置。
【請求項２】
前記固定具が配される開口部分の中心と前記発光素子が配される開口部分の中心とは、前記発光素子の列の方向と交差する方向で略一直線上にあることを特徴とする請求項１に記載の光源装置。
【請求項３】
一面に複数の発光素子が実装された回路基板と、前記複数の発光素子が発光した光を拡散させるために各発光素子に対応して前記回路基板の前記一面の側に配置された複数のレンズと、前記回路基板の他面側に位置して該回路基板を支持する支持体と、前記回路基板を前記支持体に固定するために前記回路基板の前記一面の側に一部が突出した複数の固定具と、前記複数のレンズ及び前記複数の固定具が配される開口を有し、前記回路基板の前記一面の側に配置された反射部材とを備えた光源装置において、
前記複数のレンズは、前記回路基板の前記一面における交差する２方向の夫々に略等間隔で並置され、
前記複数の固定具は、前記交差する２方向の１つに沿った前記レンズの複数の列のうちの隣り合う２列の間に、各列のレンズに交互に接近するように千鳥状に位置し、
前記反射部材の開口は、前記固定具が配される開口部分と該固定具が接近した前記レンズが配される開口部分とが合体した開口であることを特徴とする光源装置。
【請求項４】
前記固定具が配される開口部分の中心と前記レンズが配される開口部分の中心とは、前記レンズの列の方向と交差する方向で略一直線上にあることを特徴とする請求項３に記載の光源装置。
【請求項５】
前記回路基板は前記固定具を挿通させる挿通孔を有し、
前記複数の固定具は前記回路基板の前記一面の側から前記挿通孔に挿通され、前記支持体に保持されていることを特徴とする請求項１から４のいずれか一項に記載の光源装置。
【請求項６】
前記回路基板は、矩形状をなし、前記発光素子を長手方向に複数個並置し、長手方向の複数箇所に前記挿通孔を有しており、
前記回路基板は、前記複数箇所の夫々の位置の挿通孔が千鳥状に位置するように、幅方向に複数枚並置されていることを特徴とする請求項５に記載の光源装置。
【請求項７】
前記回路基板は、矩形状をなし、前記発光素子を長手方向に複数個並置し、長手方向の複数箇所に前記挿通孔を有し、
該回路基板が長手方向に一列状に複数枚並置されており、
前記一列状に並置された複数枚の回路基板は、該複数枚の回路基板の列と直交する方向で隣り合う各回路基板の前記複数箇所の夫々の位置の挿通孔が千鳥状に位置するように、幅方向に複数列並置されていることを特徴とする請求項５に記載の光源装置。
【請求項８】
前記挿通孔に対応した貫通孔が前記支持体に形成してあり、
前記固定具は、前記挿通孔及び貫通孔に挿通可能な外径を有し、一端に前記挿通孔及び貫通孔に挿通不可能なフランジ部を設け、他端の内径が前記一端の内径より小である筒部材と、該筒部材の前記一端に挿入可能であり、前記他端の内径より大径の軸部並びに前記挿通孔及び貫通孔に挿通不可能な頭部を有する軸部材とを備えたリベットであることを特徴とする請求項５から７のいずれか一項に記載の光源装置。
【請求項９】
一側に表示面を有する表示部と、該表示部の他側に配された請求項１から８のいずれか一項に記載の光源装置とを備えることを特徴とする表示装置。
【発明の詳細な説明】
【技術分野】
【０００１】
本発明は、発光素子が設けられた光源装置、及び該光源装置を備えた表示装置に関する。
【背景技術】
【０００２】
液晶ディスプレイ等の他発光型の表示装置では、表示面を有する表示パネルに照明光を照射する光源装置を備えている。該光源装置として、複数個の発光ダイオードが一面に実装され、各発光ダイオードに対応して光を拡散させるレンズが配置された回路基板を複数枚隣り合うように箱状の支持体の底部に設置し、該支持体の内側表面には各レンズに対応したレンズ孔を有し発光ダイオードからの光を反射する反射シートが貼り付けてあり、反射シート及び各回路基板に設けてある貫通孔にネジを挿通させて回路基板を支持体に固定した構造が公知である（特許文献１参照）。
【先行技術文献】
【特許文献】
【０００３】
【特許文献１】特開２００８−４１５４６号公報
【発明の概要】
【発明が解決しようとする課題】
【０００４】
従来の光源装置において、回路基板をネジやリベット等の固定具によって支持体に固定する場合に、固定具を配した反射シートの開口では光を反射せず、また、該開口に配される固定具の反射率も通常反射シートの反射率より低いので、該開口での反射光の輝度はレンズを配した反射シートの開口での拡散光の輝度より低い。そのため、例えば複数の固定具が直線状に並んでいると、複数の固定具を配した反射シートの開口により反射光の輝度が直線状に低下し、照明光の輝度むらが発生するという問題がある。また、レンズを設けず、複数の発光素子からの光が直接照明光となる場合にも、回路基板をネジやリベット等の固定具によって支持体に固定するときは同様の問題が発生する。
【０００５】
本発明は、上述したような事情に鑑みてなされたものであり、複数の発光素子又はレンズ及び固定具を配する開口を有する反射部材による照明光の輝度むらを抑制することができる光源装置、及び、該光源装置を備えた表示装置を提供することを目的とする。
【課題を解決するための手段】
【０００６】
本発明に係る光源装置は、一面に複数の発光素子が実装された回路基板と、該回路基板の他面側に位置して該回路基板を支持する支持体と、前記回路基板を前記支持体に固定するために前記回路基板の前記一面の側に一部が突出した複数の固定具と、前記複数の発光素子及び前記複数の固定具が配される開口を有し、前記回路基板の前記一面の側に配置された反射部材とを備えた光源装置において、前記複数の発光素子は、前記回路基板の前記一面における交差する２方向の夫々に略等間隔で並置され、前記複数の固定具は、前記交差する２方向の１つに沿った前記発光素子の複数の列のうちの隣り合う２列の間に、各列の発光素子に交互に接近するように千鳥状に位置し、前記反射部材の開口は、前記固定具が配される開口部分と該固定具が接近した前記発光素子が配される開口部分とが合体した開口であることを特徴とする。
【０００７】
本発明によれば、回路基板の一面の側に実装された複数の発光素子が該回路基板の一面における交差する２方向の夫々に略等間隔で並置され、該回路基板の一面の側に一部が突出し、前記交差する２方向の１つに沿った発光素子の複数の列のうちの隣り合う２列の間に各列の発光素子に交互に接近するように千鳥状に位置した複数の固定具によって、該回路基板が他面側に位置する支持体に固定され、各固定具及び該固定具が接近した各発光素子は、回路基板の前記一面の側に配置された反射部材が有する該固定具の開口部分と該発光素子の開口部分とが合体した開口に配される。
この場合に、固定具が配される反射部材の開口部分と該固定具が接近した発光素子が配される反射部材の開口部分とが合体した開口をなすので、輝度の低い固定具の開口部分の輝度の低下の影響が輝度の高い発光素子の開口部分によって軽減されるとともに、固定具の開口部分が千鳥状に位置しているので、固定具の開口部分による輝度の低下の影響が分散され、照明光の輝度むらが抑制される。
【０００８】
本発明に係る光源装置は、前記固定具が配される開口部分の中心と前記発光素子が配される開口部分の中心とは、前記発光素子の列の方向と交差する方向で略一直線上にあることを特徴とする。
【０００９】
本発明によれば、隣り合う２列の一方の列の発光素子に対して発光素子の列の方向と交差する方向で千鳥配置の一方側に位置する固定具が接近する方向と、他方の列の発光素子に対して千鳥配置の他方側に位置する固定具が接近する方向とが略反対方向になるので、固定具の開口部分の輝度の低下の影響が打ち消し合い、反射部材による全体の輝度分布が発光素子の方向と交差する方向に移動して変化することが防止できる。
【００１０】
本発明に係る光源装置は、一面に複数の発光素子が実装された回路基板と、前記複数の発光素子が発光した光を拡散させるために各発光素子に対応して前記回路基板の前記一面の側に配置された複数のレンズと、前記回路基板の他面側に位置して該回路基板を支持する支持体と、前記回路基板を前記支持体に固定するために前記回路基板の前記一面の側に一部が突出した複数の固定具と、前記複数のレンズ及び前記複数の固定具が配される開口を有し、前記回路基板の前記一面の側に配置された反射部材とを備えた光源装置において、前記複数のレンズは、前記回路基板の前記一面における交差する２方向の夫々に略等間隔で並置され、前記複数の固定具は、前記交差する２方向の１つに沿った前記レンズの複数の列のうちの隣り合う２列の間に、各列のレンズに交互に接近するように千鳥状に位置し、前記反射部材の開口は、前記固定具が配される開口部分と該固定具が接近した前記レンズが配される開口部分とが合体した開口であることを特徴とする。
【００１１】
本発明によれば、複数の発光素子が実装された回路基板の一面の側に、該複数の発光素子が発光した光を拡散させるための複数のレンズが、各発光素子に対応して該回路基板の一面における交差する２方向の夫々に略等間隔で並置され、該回路基板の一面の側に一部が突出し、前記交差する２方向の１つに沿ったレンズの複数の列のうちの隣り合う２列の間に各列のレンズに交互に接近するように千鳥状に位置した複数の固定具によって、該回路基板が他面側に位置する支持体に固定され、各固定具及び該固定具が接近した各レンズは、回路基板の前記一面の側に配置された反射部材が有する該固定具の開口部分と該レンズの開口部分とが合体した開口に配される。
この場合に、固定具が配される反射部材の開口部分と該固定具が接近したレンズが配される反射部材の開口部分とが合体した開口をなすので、輝度の低い固定具の開口部分の輝度の低下の影響が輝度の高いレンズの開口部分によって軽減されるとともに、固定具の開口部分が千鳥状に位置しているので、固定具の開口部分による輝度の低下の影響が分散され、照明光の輝度むらが抑制される。
【００１２】
本発明に係る光源装置は、前記固定具が配される開口部分の中心と前記レンズが配される開口部分の中心とは、前記レンズの列の方向と交差する方向で同一直線上にあることを特徴とする。
【００１３】
本発明によれば、隣り合う２列の一方の列のレンズに対してレンズの列の方向と交差する方向で千鳥配置の一方側に位置する固定具が接近する方向と、他方の列のレンズに対して千鳥配置の他方側に位置する固定具が接近する方向とが略反対方向になるので、固定具の開口部分の輝度の低下の影響が打ち消し合い、反射部材による全体の輝度分布がレンズの列の方向と交差する方向に移動して変化することが防止できる。
【００１４】
本発明に係る光源装置は、前記回路基板は前記固定具を挿通させる挿通孔を有し、前記複数の固定具は前記回路基板の前記一面の側から前記挿通孔に挿通され、前記支持体に保持されていることを特徴とする。
【００１５】
本発明によれば、回路基板の一面の側に一部が突出した複数の固定具が回路基板の挿通孔を挿通し、回路基板の他面側に位置する支持体に保持され、これによって回路基板が支持体に固定される。
【００１６】
本発明に係る光源装置は、前記回路基板は、矩形状をなし、前記発光素子を長手方向に複数個並置し、長手方向の複数箇所に前記挿通孔を有しており、前記回路基板は、前記複数箇所の夫々の位置の挿通孔が千鳥状に位置するように、幅方向に複数枚並置されていることを特徴とする。
【００１７】
本発明によれば、発光素子が回路基板の長手方向に複数個並置された矩形状の回路基板が幅方向に複数枚並置され、各回路基板の一面の側に一部が突出した複数の固定具が、各回路基板の長手方向の複数箇所の挿通孔に挿通し、各回路基板の他面側に位置する支持体に保持される。この場合に、並置された複数枚の矩形状の回路基板は長手方向の複数箇所の夫々の位置の挿通孔に挿通された固定具が千鳥状に位置しているので、光反射率が低い固定具による輝度の低下が分散され、照明光の輝度むらが抑制される。
【００１８】
本発明に係る光源装置は、前記回路基板は、矩形状をなし、前記発光素子を長手方向に複数個並置し、長手方向の複数箇所に前記挿通孔を有し、該回路基板が長手方向に一列状に複数枚並置されており、前記一列状に並置された複数枚の回路基板は、該複数枚の回路基板の列と直交する方向で隣り合う各回路基板の前記複数箇所の夫々の位置の挿通孔が千鳥状に位置するように、幅方向に複数列並置されていることを特徴とする。
【００１９】
本発明によれば、発光素子が回路基板の長手方向に複数個並置された矩形状の回路基板が長手方向に一列状に複数枚並置されるとともに、該一列状に並置された複数枚の回路基板が幅方向に複数列並置され、各回路基板の一面の側に一部が突出し、各回路基板の長手方向の複数箇所の挿通孔に挿通した複数の固定具が、各回路基板の他面側に位置する支持体に保持される。この場合に、一列状に並置された複数枚の回路基板の列と直交する方向で隣り合う各回路基板の複数箇所の夫々の挿通孔に挿通された固定具が千鳥状に位置しているので、光反射率が低い固定具による輝度の低下が分散され、照明光の輝度むらが抑制される。
【００２０】
本発明に係る光源装置は、前記挿通孔に対応した貫通孔が前記支持体に形成してあり、前記固定具は、前記挿通孔及び貫通孔に挿通可能な外径を有し、一端に前記挿通孔及び貫通孔に挿通不可能なフランジ部を設け、他端の内径が前記一端の内径より小である筒部材と、該筒部材の前記一端に挿入可能であり、前記他端の内径より大径の軸部並びに前記挿通孔及び貫通孔に挿通不可能な頭部を有する軸部材とを備えたリベットであることを特徴とすることを特徴とする。
【００２１】
本発明によれば、回路基板の各挿通孔にリベットの筒部材の他端を挿入し、さらに該筒部材を回路基板の他面側に位置する支持体の各貫通孔に挿通させ、筒部材の一端のフランジ部を回路基板で受け止めさせる。次に、軸部材の軸部を筒部材の一端に挿入し、軸部材の頭部を筒部材のフランジ部で受け止めさせると、該軸部は筒部材の他端の内径より大径であるので、筒部材の他端は軸部によって押し広げられて外径が大きくなり、支持体の貫通孔を挿通できなくなるとともに、軸部材の軸部に対して押圧力が働き、リベットは支持体に保持される。該軸部材の頭部を引き抜くか、軸部を頭部に向かって押し込むことにより軸部材を筒部材から外し、筒部材を支持体の貫通孔及び回路基板の挿通孔から外すことにより、各回路基板は支持体に支持されなくなる。
【００２２】
本発明に係る表示装置は、一側に表示面を有する表示部と、該表示部の他側に配された前記光源装置とを備えることを特徴とする。
本発明によれば、一側に表示面を有する表示部の他側に配された前記光源装置に実装された複数の発光素子が発光し、各発光素子に対応したレンズによって拡散された光が表示部に入射し、表示部を照明する。
【発明の効果】
【００２３】
本発明に係る光源装置によれば、反射部材の開口は固定具が配される開口部分と発光素子が配される開口部分とが合体した開口であるので、輝度の低い固定具の開口部分の輝度の低下の影響が輝度の高い発光素子の開口部分によって軽減されるとともに、複数の固定具は千鳥状に位置しているので、光反射率が低い固定具による輝度の低下の影響が分散され、複数の発光素子及び固定具を配する開口を有する反射部材による照明光の輝度むらを抑制することができる光源装置が提供される。
【００２４】
本発明に係る光源装置によれば、固定具による照明光の輝度むらを抑制しつつ、反射部材による全体の輝度分布が発光素子の列の方向と交差する方向に移動して変化することが防止できる光源装置が提供される。
【００２５】
本発明に係る光源装置によれば、反射部材の開口は固定具が配される開口部分とレンズが配される開口部分とが合体した開口であるので、輝度の低い固定具の開口部分の輝度の低下の影響が輝度の高いレンズの開口部分によって軽減されるとともに、複数の固定具は千鳥状に位置しているので、光反射率が低い固定具による輝度の低下の影響が分散され、複数のレンズ及び固定具を配する開口を有する反射部材による照明光の輝度むらを抑制することができる光源装置が提供される。
【００２６】
本発明に係る光源装置によれば、固定具による照明光の輝度むらを抑制しつつ、反射部材による全体の輝度分布がレンズの列の方向と交差する方向に移動して変化することが防止できる光源装置が提供される。
【００２７】
本発明に係る光源装置によれば、回路基板を支持体に固定するために、回路基板の挿通孔を挿通し、回路基板の他面側に位置する支持体に保持された複数の固定具が千鳥状に位置しているので、固定具による照明光の輝度むらを抑制することに加えて、支持体による回路基板の支持位置が分散され、より安定な支持が可能となる光源装置が提供される。
【００２８】
本発明に係る光源装置によれば、矩形状の回路基板を基板幅方向に並置する枚数の設定により、広い照明範囲を実現しつつ、基板幅方向に並置された各回路基板の長手方向の複数箇所の夫々の位置の挿通孔に挿通される固定具が千鳥状に位置しているので、光反射率が低い固定具による輝度の低下の影響を分散し、照明光の輝度むらを抑制することができる光源装置が提供される。
【００２９】
本発明に係る光源装置によれば、長手方向に一列状に並置された矩形状の回路基板の枚数と該一列状の複数枚の回路基板を基板幅方向に並置する列数との設定により、広い照明範囲を実現しつつ、一列状に並置された複数枚の回路基板の列と直交する方向で隣り合う各回路基板の長手方向の複数箇所の夫々の位置の挿通孔に挿通される固定具が千鳥状に位置しているので、光反射率が低い固定具による輝度の低下の影響を分散し、照明光の輝度むらを抑制することができる光源装置が提供される。
【００３０】
本発明に係る光源装置によれば、筒部材と軸部材とからなるリベットを用いて、簡単な操作によって各回路基板を支持体に支持させ、また、各回路基板を支持体による支持から解除することができる光源装置が提供される。
【００３１】
本発明に係る表示装置によれば、表示部の他側に、複数の発光素子及びレンズが配置され、照明光の輝度むらが抑制された直下型の光源装置を備えた表示装置が提供される。
【図面の簡単な説明】
【００３２】
【図１】本発明に係る光源装置の構造の主要部を示す断面図である。
【図２】本発明に係る光源装置の一部の平面図である。
【図３】本発明に係る光源装置の一部を分解した平面図である。
【図４】本発明に係る光源装置の一部部材の平面図である。
【図５】本発明に係る光源装置の一部を拡大した平面図である。
【図６】本発明に係る光源装置の一部を拡大した平面図である。
【図７】発光ダイオード基板の構成を示す斜視図である。
【図８】発光ダイオード基板の構成を示す斜視図である。
【図９】固定具の一例を示す断面図である。
【図１０】本発明に係る光源装置を備える表示装置の構成を示す断面図である。
【図１１】本発明の別の実施形態に係る光源装置の一部を分解した平面図である。
【図１２】本発明の別の実施形態に係る光源装置の一部部材の平面図である。
【図１３】別の実施形態に係る光源装置の構造の主要部を示す断面図である。
【図１４】別の実施形態に係る光源装置の一部の平面図である。
【図１５】別の実施形態に係る光源装置の一部を分解した平面図である。
【図１６】別の実施形態に係る光源装置の一部部材の平面図である。
【発明を実施するための形態】
【００３３】
以下、本発明に係る光源装置の実施の形態、及び本発明に係る光源装置を備えた液晶表示装置の実施の形態を図面に基づいて説明する。
【００３４】
図１は本発明に係る光源装置の構造の主要部を示す断面図、図２は同光源装置の一部の平面図、図３は同光源装置の一部を分解した平面図、図４は同光源装置の一部部材の平面図、図５及び図６は同光源装置の一部を拡大した平面図、図７及び図８はレンズが取付けられている発光ダイオード基板の構成を示す斜視図、図９は固定具の一例を示す断面図である。
【００３５】
光源装置は、複数の発光ダイオード１を一面２ａに実装してあり、離隔して並置される複数の発光ダイオード基板２と、該発光ダイオード基板２の一面２ａに取付けられて各発光ダイオード１の頂部と対向し、該発光ダイオード１が発光した光を拡散させる複数のレンズ３と、該レンズ３が内部に配される貫通孔４１を有し、発光ダイオード基板２の一面２ａに載置されて発光ダイオード１が発光した光を反射させる反射シート４と、発光ダイオード基板２の他面２ｂ側に位置し、複数の発光ダイオード基板２を支持する支持体６とを備える。
【００３６】
発光ダイオード基板２は一面２ａに回路部を有し、幅に対する長さの比が大きい矩形状（短冊状）をなす。発光ダイオード基板２夫々の一面２ａには複数の発光ダイオード１が長手方向に略同一間隔で離隔して実装してある。発光ダイオード基板２は一面２ａ側のみに導電部を有する片面基板である。複数の矩形状の発光ダイオード基板２が長手方向を同一方向に揃え、長手方向及び幅方向に離隔し、略矩形をなす支持体６の一面６ａに並置されている。
【００３７】
図３には、発光ダイオード１が６個実装された発光ダイオード基板２を中央に配し、その両側に発光ダイオード１が５個実装された発光ダイオード基板２を配して一列状に接続された３枚の発光ダイオード基板２を幅方向に発光ダイオード基板２上の発光ダイオード１の実装間隔と略同一の間隔で８列並置した例を示す。一列状に配置された発光ダイオード基板２の列と直交する方向に並ぶ各発光ダイオード基板２は長手方向の寸法が略同一である。そして、全ての発光ダイオード基板２上の発光ダイオード１を２次元に略等間隔で配置してある。
【００３８】
発光ダイオード基板２の一面２ａの長手方向の両端部には接続部２１，２２が設けてある。一列状に並置される３枚の発光ダイオード基板２は、隣り合う発光ダイオード基板２の接続部２１，２１同士がコネクタ５にて接続されている。また後述のように、列の一方の端に位置する発光ダイオード基板２の接続部２２が電源回路基板にコネクタにて接続され、列の他方の端に位置する発光ダイオード基板２の接続部２２が制御回路基板にコネクタにて接続されている。
【００３９】
レンズ３は、発光ダイオード１の頂部と離隔して対向し、該発光ダイオード１が発光した光を四方に拡散させるための半球状凹部を有する透光部３１と、該透光部３１の一面２ａと対向する面から発光ダイオード基板２へ向けて突出し、発光ダイオード基板２に対するレンズ３の位置を決める三つの位置決め突起３２とを有し、該位置決め突起３２の先端が一面２ａに接着剤にて取付けられている。透光部３１は、反射シート４の貫通孔４１よりも若干小形に形成されている。そして、複数のレンズ３が直交する２方向の夫々に略等間隔で配置されている。
【００４０】
反射シート４は、高反射性を有し、支持体６に対応して略矩形をなす一枚の合成樹脂シートからなり、レンズ３夫々が配される箇所に、透光部３１よりも若干大径の丸形をなし、碁盤目状に配した貫通孔４１が開設され、コネクタ５に対応する箇所に、略矩形をなし、コネクタ５が挿通可能な第２貫通孔４２が開設されている。
【００４１】
矩形状の発光ダイオード基板２の長手方向の一端部及び他端部に、発光ダイオード基板２を支持体６に支持させるためのリベット８を挿通させる２個の挿通孔２ｃ、２ｄが開設してある。各挿通孔２ｃ、２ｄは、発光ダイオード基板２の幅方向に沿った複数のレンズ３の列のうちの隣り合う２列のレンズ３の間に位置している。２個の挿通孔２ｃ、２ｄの一方の挿通孔２ｃの基板長手方向の寸法は他方の挿通孔２ｄの寸法より小さい。具体的には、一方の挿通孔２ｃは丸孔であり、他方の挿通孔２ｄは基板長手方向に長い長円形状をなす。一列状に並置された発光ダイオード基板２が接続される端部では寸法が小さい挿通孔２ｃと寸法が大きい挿通孔２ｄとが隣り合うように、各発光ダイオード基板２を配置している。
【００４２】
一列状に並置された発光ダイオード基板２の列と直交する方向で隣り合う８枚の発光ダイオード基板２では、一端部側の８個の挿通孔２ｃが千鳥状に位置し、他端部側の８個の挿通孔２ｄが千鳥状に位置している。具体的には、一端部側の挿通孔２ｃは、一端部側に位置して隣り合う２列のレンズ３の一方に寄った位置と他方に寄った位置とに交互に位置し、同等に、他端部側の挿通孔２ｄは、他端部側に位置して隣り合う２列のレンズ３の一方に寄った位置と他方に寄った位置とに交互に位置している。
【００４３】
支持体６は金属板を成形してなり、略矩形をなす平板状の板部６１及び該板部６１の周縁に連なる枠部６２を有し、板部６１の一面６ａに発光ダイオード基板２を長手方向及び幅方向に並べて収容支持してある。支持体６の板部６１には発光ダイオード基板２の各挿通孔２ｃ、２ｄの位置に対応して貫通孔６１ａが設けてある。
【００４４】
リベット８は、図９に示すように、挿通孔２ｃ、２ｄ及び貫通孔６１ａに挿通可能な外径ｇ１を有し、一方端に挿通孔２ｃ、２ｄ及び貫通孔６１ａに貫通不可能なフランジ部８１ａを設け、他方端の内径ｇ３が一方端の内径ｇ２より小である筒部材８１と、該筒部材８１の一方端に挿入可能であり、他方端の内径ｇ３より大径の軸部８２ａと挿通孔２ｃ、２ｄ及び貫通孔６１ａに貫通不可能な頭部８２ｂとを有する軸部材８２とを備えている。筒部材８１及び軸部材８２は合成樹脂材料で作製される。
【００４５】
反射シート４には、リベット８が配される箇所に、リベット８が挿通できるように軸部材８２の頭部８２ｂの直径よりも大径で、貫通孔４１に合体した長孔状の第３貫通孔４３が開設されている。第３貫通孔４３をなす長孔の幅方向の中心は貫通孔４１をなす丸孔の中心と発光ダイオード基板２の列と平行な方向（発光ダイオード基板２の幅方向に沿ったレンズ３の列の方向と直交する方向）で略一直線上にある。発光ダイオード基板２の列と直交する方向で隣り合う第３貫通孔４３は千鳥状に位置し、両側の貫通孔４１のうちの一方に連なる長孔と他方に連なる長孔とに交互に形状が変更されている。
【００４６】
以上より、発光ダイオード基板２の一端部側の８個の挿通孔２ｃ及び反射シート４の第３貫通孔４３に挿通されたリベット８は、隣り合う２列のレンズ３の間で各列のレンズ３に交互に接近するように千鳥状に位置し、発光ダイオード基板２の他端部側の８個の挿通孔２ｄ及び反射シート４の第３貫通孔４３に挿通されたリベット８は、隣り合う２列のレンズ３の間で各列のレンズ３に交互に接近するように千鳥状に位置している。
【００４７】
次にリベット８を用いて、一列状に接続された３枚の発光ダイオード基板２を支持体６に支持させる手順を説明する。先ず、支持体６の各貫通孔６１ａに各発光ダイオード基板２の挿通孔２ｃ、２ｄを位置合わせした後、筒部材８１を各発光ダイオード基板２の一面２ａ側から寸法が小さい挿通孔２ｃと貫通孔６１ａとに挿通させ、フランジ部８１ａを発光ダイオード基板２の一面２ａに当接させる。次に、軸部材８２の軸部８２ａを頭部８２ｂが筒部材８１のフランジ部８１ａに当接するまで挿入すると、筒部材８１の先端部が軸部材８２の軸部８２ａによって外側に押し広げられる。外側に押し広げられた筒部材８１の先端部は軸部材８２の軸部８２ａを内側に押圧して保持するとともに、拡径した筒部材８１の先端部は支持体６の貫通孔６１ａを挿通できないので、各発光ダイオード基板２はリベット８によって支持体６に固定される。
【００４８】
上記のように寸法が小さい挿通孔２ｃについてリベット８を装着した後、寸法が大きい挿通孔２ｄについても同様にリベット８を装着して、各発光ダイオード基板２をリベット８によって支持体６に固定させる。
【００４９】
全ての発光ダイオード基板２の挿通孔２ｃ、２ｄにリベット８を装着した後、貫通孔４１にレンズ３が挿通し、第２貫通孔４２にコネクタ５が挿通し、第３貫通孔４３に各リベット８を挿通する状態で反射シート４を発光ダイオード基板２に対向させて載置する。
【００５０】
図１０は本発明に係る光源装置を備える表示装置の構成を示す断面図である。該表示装置は、前側に表示面７２ａを有し、略直方体をなす表示部７０と、該表示部７０の後側に配されている光源装置Ａと、表示部７０の周縁部及び光源装置Ａの後側を隠蔽するキャビネット７１とを備える。
【００５１】
表示部７０は、表示面７２ａを有する表示パネル７２と、該表示パネル７２の後側に配されている光学シート７３とを有する。表示パネル７２の周縁部は、前保持枠体７４と、後保持枠体７５とにより前後に挾着保持され、パネルモジュールを構成しており、後保持枠体７５が支持体６の周縁部に取付けられている。
【００５２】
光学シート７３は、光源としての発光ダイオード１が発光した光を拡散する比較的厚肉の拡散板と、反射偏光板、プリズムシート、拡散シート等の比較的薄肉の合成樹脂シートが積層された積層体である。光学シート７３の周縁部が支持体６の枠部６２と後保持枠体７５とによって挾着保持されている。
【００５３】
キャビネット７１は、表示部７０の周縁部前側を隠蔽するキャビネット前分体７１ａと、光源装置Ａの周縁部及び後側を隠蔽する深皿形状のキャビネット後分体７１ｂとを有し、支持体６の枠部６２に雄螺子により取付けられている。
【００５４】
尚、図示は省略するが、板部６１の他面６ｂの長手方向一側部に、コネクタにて発光ダイオード基板２の接続用電極部２２に接続され、ドライバに電圧を供給する電源回路基板が取付けられており、他面６ｂの長手方向他側部に、コネクタにて発光ダイオード基板２の接続用電極部２２に接続され、ドライバを制御する制御回路基板が取付けられている。また、板部６１における他面６ｂの長手方向中央部には前記表示部に電圧を供給する電源回路基板、前記表示部の表示面に表示される画像を処理する端子回路基板、前記表示部を制御する制御回路基板等の複数の回路基板が取付けられている。
【００５５】
前述の実施の形態では、矩形状の発光ダイオード基板２の長手方向の両端部にリベット８を挿通させる２個の挿通孔２ｃ、２ｄを設けたが、発光ダイオード基板２の長手方向の両端部及び両端部より内側部を含む複数箇所に夫々挿通孔を設け、発光ダイオード基板２の列と直交する方向で隣り合う複数箇所夫々の挿通孔が千鳥状に位置するように構成してもよい。
【００５６】
前述の実施の形態では、矩形状の発光ダイオード基板２を長手方向に一列状に複数枚並置したものを幅方向に複数列並置したが、発光ダイオード基板の構成は前述の実施の形態に限定されない。図１１は本発明の別の実施形態に係る光源装置の一部を分解した平面図、図１２は同別の実施形態に係る光源装置の一部部材の平面図である。この別の実施形態では、矩形状の発光ダイオード基板２Ａが前述の実施の形態の発光ダイオード基板２より長尺であり、該発光ダイオード基板２Ａを基板幅方向に発光ダイオード基板２Ａ上の発光ダイオード１の実装間隔と略同一の間隔で８枚並置している。各発光ダイオード基板２Ａの長手方向の両端部に前記接続部２２が設けられている。
【００５７】
各発光ダイオード基板２Ａの長手方向の６箇所に、前記リベット８を挿通させる６個の挿通孔２ｅ１〜２ｅ６が開設してある。発光ダイオード基板２Ａの長手方向の一端部の挿通孔２ｅ１は前述の実施の形態の挿通孔２ｃと同様の丸孔であり、他の５個の挿通孔２ｅ２〜２ｅ６は前述の実施の形態の挿通孔２ｄと同様の長孔である。発光ダイオード基板２Ａの並置方向で隣り合う８枚の発光ダイオード基板２Ａは、６箇所の夫々の位置の各挿通孔２ｅ１〜２ｅ６が千鳥状に位置している。即ち、並置された８枚の発光ダイオード基板２Ａの一端部の８個の挿通孔２ｅ１が千鳥状に位置し、同様に、他の位置の８個の挿通孔２ｅ２、８個の挿通孔２ｅ３、８個の挿通孔２ｅ４、８個の挿通孔２ｅ５、８個の挿通孔２ｅ６が夫々千鳥状に位置している。反射シート４Ａには、各挿通孔２ｅ１〜２ｅ６の位置に対応して第３貫通孔４３を設けてあり、各第３貫通孔４３は貫通孔４１と合体した開口である。
【００５８】
次に、各発光ダイオード１に対応したレンズ３を設けない光源装置の別の実施形態について説明する。図１３は別の実施形態に係る光源装置の構造の主要部を示す断面図、図１４は別の実施形態に係る光源装置の一部の平面図、図１５は別の実施形態に係る光源装置の一部を分解した平面図、図１６は別の実施形態に係る光源装置の一部部材の平面図である。
【００５９】
この別の実施形態では、反射シート４Ａに発光ダイオード１が配される箇所に発光ダイオード１の寸法よりも大きい貫通孔４４が開設され、該貫通孔４４よりも大径で前記リベットが配される貫通孔４５に長孔状に合体している。そして、貫通孔４５の中心は貫通孔４４の中心と発光ダイオード基板２の列と平行な方向（発光ダイオード基板２の幅方向に沿った発光ダイオード１の列の方向と直交する方向）で略一直線上にある。発光ダイオード基板２の列と直交する方向で隣り合う貫通孔４５は千鳥状に位置し、該貫通孔４５に対して、貫通孔４５が接近した側の貫通孔４４が長孔状に連なっている。以上より、発光ダイオード基板２の一端部側の８個の挿通孔２ｃ及び反射シート４の貫通孔４５に挿通されたリベット８は、隣り合う２列の発光ダイオード１の間で各列の発光ダイオード１に交互に接近するように千鳥状に位置し、発光ダイオード基板２の他端部側の８個の挿通孔２ｄ及び反射シート４の貫通孔４５に挿通されたリベット８は、隣り合う２列の発光ダイオード１の間で各列の発光ダイオード１に交互に接近するように千鳥状に位置している。以上の点を除いて前述の実施の形態と同様な構成である。
【００６０】
前述の実施の形態では、複数のレンズ３は及び複数の発光ダイオード１を直交する２方向の夫々に略等間隔で配置したが、直角以外の角度で交差する２方向の夫々に略等間隔で配置してもよい。
【００６１】
前述の実施の形態では、固定具を筒部材８１と軸部材８２との２つの部材からなるリベット８にて構成したが、固定具は単一の部材からなるリベットでもよく、また、リベット以外に、ビス、ボルトナット等で構成してもよい。
【００６２】
前述の実施の形態では、本発明に係る光源装置を液晶表示装置の表示パネルの照明用に適用したが、液晶表示装置以外の他発光型の表示装置の表示パネルの照明用に適用することができる。
【符号の説明】
【００６３】
１        発光ダイオード（発光素子）
２        発光ダイオード基板（回路基板）
２Ａ      発光ダイオード基板（回路基板）
２ａ      一面
２ｂ      他面
２ｃ      挿通孔
２ｄ      挿通孔
２ｅ１    挿通孔
２ｅ２    挿通孔
２ｅ３    挿通孔
２ｅ４    挿通孔
２ｅ５    挿通孔
２ｅ６    挿通孔
３        レンズ
４        反射シート（反射部材）
４Ａ      反射シート（反射部材）
４１      貫通孔（開口部分）
４３      第３貫通孔（開口部分）
４４      貫通孔（開口部分）
４５      貫通孔（開口部分）
６        支持体
６１ａ    貫通孔
８        リベット（固定具）
８１      筒部材
８１ａ    フランジ部
８２      軸部材
８２ａ    軸部
８２ｂ    頭部
７０      表示部
７２ａ    表示面
Ａ        光源装置
【図１】
2011028951.tif 000003
【図２】
2011028951.tif 000004
【図３】
2011028951.tif 000005
【図４】
2011028951.tif 000006
【図５】
2011028951.tif 000007
【図６】
2011028951.tif 000008
【図７】
2011028951.tif 000009
【図８】
2011028951.tif 000010
【図９】
2011028951.tif 000011
【図１０】
2011028951.tif 000012
【図１１】
2011028951.tif 000013
【図１２】
2011028951.tif 000014
【図１３】
2011028951.tif 000015
【図１４】
2011028951.tif 000016
【図１５】
2011028951.tif 000017
【図１６】
2011028951.tif 000018